【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
基体と導電性樹脂被覆層と表層とを有している現像剤担持体において、
該表層が、下記式（１）で示されるカチオン重合可能な基を有する加水分解性シラン化合物および下記式（２）で示される加水分解性シラン化合物を加水分解して得たカチオン重合可能な基を有する縮合物の該カチオン重合可能な基を開裂させて架橋させてなるポリシロキサンからなることを特徴とする現像剤担持体：
【化１】
2007264614.tif 000001
（式（１）中、Ｒ11は、フェニル基、炭素数１〜２１の直鎖状の無置換のアルキル基またはフェニル基で置換された炭素数１〜２１の直鎖状のアルキル基を示す。Ｒ12は、炭素数１〜３のアルキル基を示す。ａは０乃至３の整数であり、ｂは１乃至４の整数であり、ａ＋ｂ＝４である。）
【化２】
2007264614.tif 000002
（式（２）中、Ｒ21及びＲ22は、それぞれ独立に、炭素数１〜３のアルキル基を示し、Ｚ21は、２価の有機基を示し、Ｒｃ21は、エポキシ基およびグリシジル基から選ばれるいずれかのカチオン重合可能な基を示す。ｄは０乃至２の整数であり、ｅは１乃至３の整数であり、ｄ＋ｅ＝３である。）。
【請求項２】
前記表層が、上記式（１）で示される加水分解性シラン化合物、上記式（２）で示される加水分解性シラン化合物および下記式（３）で示される加水分解性シラン化合物を加水分解して得たカチオン重合可能な基を有する縮合物の該カチオン重合可能な基を開裂させて架橋させてなるポリシロキサンからなる請求項１に記載の現像剤担持体：
【化３】
2007264614.tif 000003
（式（３）中、Ｒ31及びＲ32は、それぞれ独立に、炭素数１〜３のアルキル基を示し、Ｚ31は、炭素数１〜６のアルキレン基を示し、Ｒｆ31は、炭素数１〜１１のパーフルオロアルキル基を示す。ｆは０乃至２の整数であり、ｇは１乃至３の整数であり、ｆ＋ｇ＝３である。）。
【請求項３】
基体と導電性樹脂被覆層と表層とを有している現像剤担持体の製造方法であって、
（ｉ）下記式（１）で示されるカチオン重合可能な基を有する加水分解性シラン化合物および下記式（２）で示される加水分解性シラン化合物を加水分解させてカチオン重合可能な基を有する縮合物を得る工程と：
【化４】
2007264614.tif 000004
（式（１）中、Ｒ11は、フェニル基、炭素数１〜２１の直鎖状の無置換のアルキル基またはフェニル基で置換された炭素数１〜２１の直鎖状のアルキル基を示す。Ｒ12は、炭素数１〜３のアルキル基を示す。ａは０乃至３の整数であり、ｂは１乃至４の整数であり、ａ＋ｂ＝４である。）
【化５】
2007264614.tif 000005
（式（２）中、Ｒ21及びＲ22は、それぞれ独立に、炭素数１〜３のアルキル基を示し、Ｚ21は、２価の有機基を示し、Ｒｃ21は、エポキシ基およびグリシジル基から選ばれるいずれかのカチオン重合可能な基を示す。ｄは０乃至２の整数であり、ｅは１乃至３の整数であり、ｄ＋ｅ＝３である。）、
（ｉｉ）該縮合物と重合開始剤とを含む塗料を製造する工程と、
（ｉｉｉ）該塗料を導電性樹脂被覆層上に塗布し、該縮合物のカチオン重合可能な基を開裂させて該縮合物を架橋させることにより表層を形成する工程とを有することを特徴とする現像剤担持体の製造方法。
【請求項４】
前記式（２）中、−Z21−Rｃ21が、グリシドキシプロピル基またはエポキシシクロヘキシルエチル基を示す請求項３に記載の現像剤担持体の製造方法。
【請求項５】
前記工程（ｉ）が、前記式（１）で示される加水分解性シラン化合物、前記式（２）で示される加水分解性シラン化合物および下記式（３）で示される加水分解性シラン化合物を加水分解させてカチオン重合可能な基を有する縮合物を得る工程である請求項３または４に記載の現像剤担持体の製造方法：
【化６】
2007264614.tif 000006
（式（３）中、Ｒ31及びＲ32は、それぞれ独立に、炭素数１〜３のアルキル基を示し、Ｚ31は、炭素数１〜６のアルキレン基を示し、Ｒｆ31は、炭素数１〜１１のパーフルオロアルキル基を示す。ｆは０乃至２の整数であり、ｇは１乃至３の整数であり、ｆ＋ｇ＝３である。）。
【請求項６】
少なくともトナーを有する現像剤と、該現像剤を収容している容器と、該容器に貯蔵された現像剤を担持搬送するための現像剤担持体を有し、現像剤層厚規制部材により前記現像剤担持体上に現像剤層を形成しながら現像剤担持体上の現像剤を静電潜像担持体と対向する現像領域へと搬送し、前記静電潜像担持体の静電潜像を現像剤により現像し、トナー像を形成する現像装置において、前記現像剤担持体が、請求項１または２に記載の現像剤担持体である事を特徴とする現像装置。
【手続補正２】
【補正対象書類名】明細書
【補正対象項目名】００１６
【補正方法】変更
【補正の内容】
【００１６】
本発明の目的は、以下の手段により達成される。
（Ａ）基体と導電性樹脂被覆層と表層とを有している現像剤担持体において、
該表層が、下記式（１）で示されるカチオン重合可能な基を有する加水分解性シラン化合物および下記式（２）で示される加水分解性シラン化合物を加水分解して得たカチオン重合可能な基を有する縮合物の該カチオン重合可能な基を開裂させて架橋させてなるポリシロキサンからなることを特徴とする現像剤担持体：
【化９】
2007264614.tif 000007
（式（１）中、Ｒ11は、フェニル基、炭素数１〜２１の直鎖状の無置換のアルキル基またはフェニル基で置換された炭素数１〜２１の直鎖状のアルキル基を示す。Ｒ12は、炭素数１〜３のアルキル基を示す。ａは０乃至３の整数であり、ｂは１乃至４の整数であり、ａ＋ｂ＝４である。）
【化１０】
2007264614.tif 000008
（式（２）中、Ｒ21及びＲ22は、それぞれ独立に、炭素数１〜３のアルキル基を示し、Ｚ21は、２価の有機基を示し、Ｒｃ21は、エポキシ基およびグリシジル基から選ばれるいずれかのカチオン重合可能な基を示す。ｄは０乃至２の整数であり、ｅは１乃至３の整数であり、ｄ＋ｅ＝３である。）。
（Ｂ）基体と導電性樹脂被覆層と表層とを有している現像剤担持体の製造方法であって、
（ｉ）下記式（１）で示されるカチオン重合可能な基を有する加水分解性シラン化合物および下記式（２）で示される加水分解性シラン化合物を加水分解させてカチオン重合可能な基を有する縮合物を得る工程と：
【化１１】
2007264614.tif 000009
（式（１）中、Ｒ11は、フェニル基、炭素数１〜２１の直鎖状の無置換のアルキル基またはフェニル基で置換された炭素数１〜２１の直鎖状のアルキル基を示す。Ｒ12は、炭素数１〜３のアルキル基を示す。ａは０乃至３の整数であり、ｂは１乃至４の整数であり、ａ＋ｂ＝４である。）
【化１２】
2007264614.tif 000010
（式（２）中、Ｒ21及びＲ22は、それぞれ独立に、炭素数１〜３のアルキル基を示し、Ｚ21は、２価の有機基を示し、Ｒｃ21は、エポキシ基およびグリシジル基から選ばれるいずれかのカチオン重合可能な基を示す。ｄは０乃至２の整数であり、ｅは１乃至３の整数であり、ｄ＋ｅ＝３である。）、
（ｉｉ）該縮合物と重合開始剤とを含む塗料を製造する工程と、
（ｉｉｉ）該塗料を導電性樹脂被覆層上に塗布し、該縮合物のカチオン重合可能な基を開裂させて該縮合物を架橋させることにより表層を形成する工程とを有することを特徴とする現像剤担持体の製造方法。
（Ｃ）少なくともトナーを有する現像剤と、該現像剤を収容している容器と、該容器に貯蔵された現像剤を担持搬送するための現像剤担持体を有し、現像剤層厚規制部材により前記現像剤担持体上に現像剤層を形成しながら現像剤担持体上の現像剤を静電潜像担持体と対向する現像領域へと搬送し、前記静電潜像担持体の静電潜像を現像剤により現像し、トナー像を形成する現像装置において、前記現像剤担持体が上記の現像剤担持体である事を特徴とする現像装置。